Podtech/llm-jp-corpus-v4-ja_patent huggingface dataset:
(57)【要約】      （修正有）【課題】従来のオートバイのハンドルスイッチの標識記号の夜間における視認性を向上させる。【解決手段】スイッチカバー本体１は透明なプラスチック製であり、表側の標識記号２以外の部分を塗装やクロームメッキ等で表面処理をし、ＬＥＤを点灯させた際に標識記号の部分から内側に取り付けたＬＥＤの光が透けて見えるようにする。この本体１の内側にＬＥＤの付いた基板を取り付ける。そして基板に雨水等が侵入しないように適宜防水加工をする。【選択図】図１
0003133356.tif 000002
【実用新案登録請求の範囲】
【請求項１】
オートバイのハンドルスイッチの標識記号を光らせることにより、夜間の認識性を良くするためのハンドルスイッチカバー。
【請求項２】
前記ハンドルスイッチカバー、は本体内側にＬＥＤライト（青色、赤色）を装着した基盤を両面テープ、シリロンを使って取り付け、オートバイ本体に取り付けてある左右ハンドルスイッチの上側、下側から両面テープ、ネジを使って固定し、ハンドルスイッチ（ウィンカーボタン、ヘッドライトＨＩＧＨ／ＬＯＷ切り替えボタン、エンジンキルスイッチボタン、パッシングボタン、ハザードＯＮ／ＯＦＦボタン）の標識記号をＬＥＤライト（青色、赤色）で光らせることを特徴とする請求項１記載のハンドルスイッチカバー。
【考案の詳細な説明】
【技術分野】
【０００１】  オートバイのハンドルスイッチに取り付けるハンドルスイッチカバーに関する。
【背景技術】
【０００２】  自動車の操作ボタンは車幅灯と連動しており、夜間の視認性が高く操作がしやすい。
【考案の開示】
【考案が解決しようとする課題】
【０００３】  しかしながら、従来のオートバイのハンドルスイッチの標識記号（ウィンカーボタン、ヘッドライトＨＩＧＨ／ＬＯＷ切り替えボタン、エンジンキルスイッチボタン、パッシングボタン、ハザードＯＮ／ＯＦＦボタン）が夜間において視認性が悪かった。
【考案が解決するための手段】
【０００４】  そこで本考案は、ハンドルスイッチに図１のようにＬＥＤを取り付けたカバーを装着し夜間の視認性を高め上記課題を解決するものである。
【考案を実施するための最良の形態】
【０００５】  図１のスイッチカバー本体１は透明なプラスチック製であり、表側の標識記号以外の部分を塗装やクロームメッキ等で表面処理をし、ＬＥＤを点灯させた際に標識記号の部分から内側に取り付けたＬＥＤの光が透けて見えるようにする。【０００６】  この本体１の内側に図２のＬＥＤの付いた基板を取り付ける。そして基板に雨水等が侵入しないように適宜防水加工をする。【０００７】  図３のように純正のハンドルスイッチにこのカバーを取り付ける。
【考案の効果】
【０００８】  この考案により完成したスイッチカバーのＬＥＤを点灯させると、標識記号の部分のみが光り、夜間の視認性を高め、安全にかつ確実に操作することができる。
【図面の簡単な説明】
【０００９】
【図１】  本考案の一実施形態を示す斜視図である。
【図２】  本考案に係るスイッチカバーの本体部の斜視図である。
【図３】  本考案に係るスイッチカバーの基板部の正面図である。
【符号の説明】
【００１０】  １・・・スイッチカバー
２・・・標識記号
３・・・純正スイッチ
４・・・取り付けボルト
５・・・基板
６・・・ＬＥＤ
７・・・電源線
【図１】
0003133356.tif 000003
【図２】
0003133356.tif 000004
【図３】
0003133356.tif 000005
【手続補正書】
【提出日】平成19年3月26日(2007.3.26)
【手続補正１】
【補正対象書類名】実用新案登録請求の範囲
【補正対象項目名】請求項１
【補正方法】変更
【補正の内容】
【請求項１】
オートバイのハンドルスイッチに標識記号部分が透けるようになっているカバーを設け、このカバーの内部にＬＥＤを取り付けることにより、ハンドルスイッチの標識記号を光らせることを特徴とするハンドルスイッチカバー。
【手続補正２】
【補正対象書類名】実用新案登録請求の範囲
【補正対象項目名】請求項２
【補正方法】変更
【補正の内容】
【請求項２】
前記ハンドルスイッチカバー、は本体内側にＬＥＤを装着した基盤を取り付け、オートバイ本体に取り付けてある左右ハンドルスイッチの上側、下側からネジを使って固定し、ハンドルスイッチのウィンカー左右ボタン、ヘッドライトＨＩＧＨ／ＬＯＷ切り替えボタン、エンジンキルスイッチボタン、パッシングボタン、ハザードＯＮ／ＯＦＦボタンの標識記号を発光ダイオードで光らせることを特徴とする請求項１記載のハンドルスイッチカバー。
【手続補正３】
【補正対象書類名】明細書
【補正対象項目名】０００９
【補正方法】変更
【補正の内容】
【０００９】
【図１】本考案の一実施形態を示す斜視図である。
【図２】本考案に係るスイッチカバーの本体部の斜視図である。
【図３】本考案に係るスイッチカバーの基板部の正面図である。
【図４】本考案に係るスイッチカバーの本体部の断面図である。
【手続補正４】
【補正対象書類名】図面
【補正対象項目名】図４
【補正方法】追加
【補正の内容】
【図４】
0003133356.tif 000006
(57)【要約】【課題】ヨーグルトパック利用時のわずらわしさヨーグルトパック利用後の不潔さ【解決手段】開封の為の凸部を設けるすっきりヨーグルトオープナーを挿入するすっきりヨーグルトオープナーで開封する【選択図】図１
0003133325.tif 000002
【実用新案登録請求の範囲】
【請求項１】
ヨーグルトパックのフタを開ける時、同時にフタの内側に付着しているヨーグルトをパックの内側にすっきり落とす
【考案の詳細な説明】
【技術分野】
【０００１】新製品開発技術
【背景技術】
【０００２】食品包装加工技術＋機械設計技術
【考案の開示】
【考案が解決しようとする課題】
【０００３】ヨーグルトパック利用時のわずらわしさ
ヨーグルトパック利用後の不潔さ
【課題を解決するための手段】
【０００４】開封の為の凸部を設ける
すっきりヨーグルトオープナーを挿入する
すっきりヨーグルトオープナーで開封する
【図１】
0003133325.tif 000003
【図２】
0003133325.tif 000004
【手続補正書】
【提出日】平成18年4月16日(2006.4.16)
【手続補正１】
【補正対象書類名】実用新案登録請求の範囲
【補正対象項目名】全文
【補正方法】変更
【補正の内容】
【実用新案登録請求の範囲】
【請求項１】
ヨーグルトパックのフタを開ける時、同時にフタの内側に付着しているヨーグルトをパックの内側にすっきり落とす
【手続補正２】
【補正対象書類名】明細書
【補正対象項目名】全文
【補正方法】変更
【補正の内容】
【考案の詳細な説明】
【技術分野】
【０００１】新製品開発技術
【背景技術】
【０００２】食品包装加工技術＋機械設計技術
【考案の開示】
【考案が解決しようとする課題】
【０００３】ヨーグルトパック利用時のわずらわしさ
ヨーグルトパック利用後の不潔さ
【課題を解決するための手段】
【０００４】開封の為の凸部を設ける
すっきりヨーグルトオープナーを挿入する
すっきりヨーグルトオープナーで開封する
【図面の簡単な説明】
【０００５】
【図１】［上面図］を表す  ヨーグルトパックのフタの片方の端に摘まむ為の凸部を設ける  すっきりヨーグルトオープナーをヨーグルトパック開封時に取付けた状態  摘まみによる、開封時のオープナーの移動方向を示す
【図２】［側面図］を表す  すっきりヨーグルトオープナーの使用による、開封状態を示す
【符号の説明】
【０００６】
0003133325.tif 000005
【手続補正書】
【提出日】平成18年6月17日(2006.6.17)
【手続補正１】
【補正対象書類名】実用新案登録請求の範囲
【補正対象項目名】全文
【補正方法】変更
【補正の内容】
【実用新案登録請求の範囲】
【請求項１】
ヨーグルトパックのフタをめくる時、同時にその力により薄いカンナの形状をしたすっきりヨーグルトオープナーが、横方向に自動的に移動してフタに付着しているヨーグルトを削ぎ落としていく様にヨーグルトパックと組合せる事により、成立つ構造を有するすっきりヨーグルトオープナー
【手続補正書】
【提出日】平成18年8月11日(2006.8.11)
【手続補正１】
【補正対象書類名】実用新案登録請求の範囲
【補正対象項目名】全文
【補正方法】変更
【補正の内容】
【実用新案登録請求の範囲】
【請求項１】
シール状のフタで密封されている四角状のヨーグルトパックに簿いカンナの形状をしたすっきりヨーグルトオープナーをフタとヨーグルトパックの間に差込み、フタの摘まみを持ってフタを開ける時の力がすっきりヨーグルトオープナーに伝わりカンナで削る様に横方向に移動して、フタとフタの内側に付着しているヨーグルトを削ぎ落していく構造を持つ、すっきりヨーグルトオープナーの考案
【手続補正書】
【提出日】平成18年10月14日(2006.10.14)
【手続補正１】
【補正対象書類名】実用新案登録請求の範囲
【補正対象項目名】全文
【補正方法】変更
【補正の内容】
【実用新案登録請求の範囲】
【請求項１】
シール状のフタで密封されている四角状のヨーグルトパックに薄いカンナの形状をしたすっきりヨーグルトオープナーをフタとヨーグルトパックの間に差込み、フタの摘まみを持ってフタを開ける時の力がすっきりヨーグルトオープナーに伝わりカンナで削る様に横方向に移動して、フタとフタの内側に付着しているヨーグルトを削ぎ落していく構造を持つ、すっきりヨーグルトオープナー
(57)【要約】【課題】天井ボード板の落下防止の為の補強材（不燃木材認定品）【解決手段】従来の軽鉄下地組の天井ボードは薄い鋼板の下地材にビスの山だけで固定されあくまで下地は空洞です？空洞の為ビスの本来の強度が全く発揮されていないのが実情です。この様なビス止めの方法で、重い天井ボードが支えられて居り時間と共にビスの緩みは避けられません！まして地震国の日本で、より確実に天井ボードをビスで固定する為に、不燃木材を下地材に補強する事によって建物の経年変化や度々起こる地震で、従来のビス固定が緩んで天井ボードの落下を、より以上に防止する効果が期待できます。ビスが木材と鋼板両方に締め付けができる為、今まで以上に天井ボードを支える事が可能になります。【選択図】図１
0003133329.tif 000002
【実用新案登録請求の範囲】
【請求項１】
建築・内装工事における軽鉄下地組工事で、天井ボード板の落下防止の為に空洞の軽鉄下地の野縁内に、不燃木材を内蔵させて天井ボード板を固定するビスが確実に軽鉄下地の野縁に固定出来れば、天井ボード板の落下事故を少なくできる。その為に必要な軽鉄下地組の野縁内に内蔵させる不燃補強材
【考案の詳細な説明】
【技術分野】
【０００１】本考案は、軽鉄下地組の野縁に補強材を内蔵させたものである。
【背景技術】
【０００２】昨年、仙台や埼玉のスポーツ施設の天井板の落下事故が問題になった。
【考案の開示】
【考案が解決しようとする課題】
【０００３】天井ボード板はビス止めで軽鉄下地組の野縁に止められているがビスの山は辛うじて、空洞の薄い野縁にビス山が２山程度で固定されています。
【課題を解決するための手段】
【０００４】本考案は、ビス本来の締め付けを確実にする為、ビス山全てが下地の野縁に固定させる事が可能になり従来の天井ボード板の落下防止の問題点を解決します。今までの空洞の野縁に不燃の木材を内蔵させて、天井ボード板に確実にビス固定ができる。
【考案の効果】
【０００５】ビス止め本来の締め付けが、空洞でない下地に確実に施行できる。
【考案を実施するための最良の形態】
【０００６】補強材は不燃木材（国土交通省認定品）の使用で法令上クリアできる。
【実施例】
【０００７】以下、添付図面（断面図）通り、軽鉄野縁取付時に補強材を内蔵させる。
【図面の簡単な説明】
【０００８】
【図１】  本考案の内蔵させた補強材の断面図である。
【符号の説明】
【０００９】１      軽鉄下地組の野縁
２      内蔵補強木材（不燃認定品）
【図１】
0003133329.tif 000003
【図２】
0003133329.tif 000004
【手続補正書】
【提出日】平成18年8月18日(2006.8.18)
【手続補正１】
【補正対象書類名】実用新案登録請求の範囲
【補正対象項目名】全文
【補正方法】変更
【補正の内容】
【実用新案登録請求の範囲】
【請求項１】
天井軽鉄下地組の野縁に内蔵させるボード落下防止補強材
【手続補正２】
【補正対象書類名】明細書
【補正対象項目名】０００８
【補正方法】変更
【補正の内容】
【０００８】
【図１】  本考案の内蔵させた補強材の断面図である。
【図２】  本考案の内蔵させた補強材の断面図である。
【手続補正書】
【提出日】平成18年11月17日(2006.11.17)
【手続補正１】
【補正対象書類名】実用新案登録請求の範囲
【補正対象項目名】全文
【補正方法】変更
【補正の内容】
【実用新案登録請求の範囲】
【請求項１】
通常の天井軽鉄下地の鋼製野縁は空洞です。空洞では天井板をビス止め固定しても芯が空洞ゆえビス止め力が弱く、又、薄い鋼製野縁にビス山が一山二山程度しか掛かってません。鋼製野縁の空洞部分に不燃木の補強材を入れる事により、強固なビス止め固定が可能になり地震等での天井板落下を防止出来ます。
【手続補正２】
【補正対象書類名】明細書
【補正対象項目名】０００８
【補正方法】変更
【補正の内容】
【０００８】
【図１】  本考案の内蔵させた補強材の断面図である。
【図２】  本考案の内蔵させた補強材の断面図である。
【手続補正書】
【提出日】平成19年3月12日(2007.3.12)
【手続補正１】
【補正対象書類名】実用新案登録請求の範囲
【補正対象項目名】全文
【補正方法】変更
【補正の内容】
【実用新案登録請求の範囲】
【請求項１】
通常の天井軽鉄下地組の空洞の野縁に補強材を内蔵してビス留め天井板が落下しない為のボード落下防止補強材。
(57)【要約】      （修正有）【課題】ＤＶＤレーべル印刷と同時に普通紙による文字印刷も可能な、ＤＶＤレコーダー。【解決手段】ＤＶＤレコーダー内のデスク面１にレーベル印刷をするためのインクカートリッジ２があり、そのインクカートリッジは左右にレール４によって移動できるようになっていると同時に、そのレール４は前後に移動することが出来る。インクカートリッジ２はレール上でデスク印刷区間を離れて、普通紙５を印刷できる位置に移動し、ローラー３によって普通紙を繰り出しながら普通紙上に印刷が出来るように構成されている。【選択図】図１
0003133330.tif 000002
【実用新案登録請求の範囲】
【請求項１】
ＤＶＤレコーダー内にデスクレーベル印刷をするプリンターと文字放送画面等をプリントするための普通紙プリンターとが同一のレール上においてインクが移動する機能を備えたＤＶＤ内蔵型プリンター。
【考案の詳細な説明】
【技術分野】技術分野【０００１】本考案はＤＶＤレコーダーに関連するものである。
【技術背景】
【０００２】  映像を録画するには最近ではほとんどがＤＶＤレコーダーで映像を録画している。ＤＶＤレコーダーで録画したものは、そのデスクの表面にその内容を書いておかなければ、なにがはいっているのかわからなくなる。もちろんケースに書いておけば分かるが、ケースを間違えて入れたりするとまったく違うものになってしまう。またこのデスクに文字や写真を記録しておくにはパソコンを用いて、画像を処理したり文字を作ったりしなければならない。それからプリンターで印刷することになる。
【考案の開示】
【考案が解決しようとする課題】
【０００３】  ＤＶＤレコーダーのみにおいては録画したデスクはその内容を手で書くしかない。パソコンにおいては画像処理をしてプリンターでデスクに印刷することが出来る。そこでパソコンを使わなくても、ＤＶＤのラベル印刷ができるＤＶＤレコーダーが出来ないものだろうかということである。
【課題を解決するための手段】
【０００４】  問題を解決するための手段としてはＤＶＤレコーダーにも印刷機能を持った装置を取り付けることによって解決するのである。
【考案の効果】
【０００５】  このようか装置を搭載したＤＶＤレコーダーにおいては、パソコンを使わずにデスクのレーベル印刷を行うことが出来るので、出来上がったデスクを見て録画した内容をすぐに把握できるので、きわめて便利である。それから、この装置においては実施例で示すように通常の紙にも印刷することが出来るので、デジタル化されたテレビによっていろいろな文字情報が送られてくるその文字も印刷できるので、これからますます使い勝手の良いものになるのである。
【考案を実施するための最良の形態】
【０００６】  現在のＤＶＤレコーダーは横が長く平べったいものがほとんどである。それでその大きさもプリンターの大きさとそれほど変わらない、したがってプリンターの機能を出来るだけ平たいものにして中に収めれば使い勝手も良いものになる。
【実施例】
【０００７】  第一図は本考案の図面である。ＤＶＤレコーダーに印刷機能を組み込んだ図である。１ＤＶＤデスクと５の紙が４のレールを移動する２のインクによって１と５がそれぞれが別々に印刷可能になる。１のデスクに録画が完了した後で、レーベル印刷が出来て、５は文字放送などの画面を印刷する場合に紙を使用するのである。【０００８】  第二図はこの考案における装置をコントロールするためのリモコンで画面選択や印刷指示などの機能がついているものである。
【産業上の利用可能性】
【０００９】この考案における産業上の利用可能性は、情報の記録がきわめて簡単になることによって、多数の人々がこの装置を取り付けた機械を購入することになる。そのために情報分野においても新たな機会も訪れることになるであろう。
【図面の簡単な説明】
【図１】  本考案の全体図である。
【図２】  本考案の関係するリモコン操作部の図である。
【符号の説明】
１  ＤＶＤデスク
２  インク
３  ローラー
４  インク移動指示パイプ
５  普通紙
６  画面移動用ボタン
７  印刷指示ボタン
８  文字放送切り替えボタン
９  決定ボタン
【図１】
0003133330.tif 000003
【図２】
0003133330.tif 000004
【手続補正書】
【提出日】平成18年10月2日(2006.10.2)
【手続補正１】
【補正対象書類名】実用新案登録請求の範囲
【補正対象項目名】全文
【補正方法】変更
【補正の内容】
【実用新案登録請求の範囲】
【請求項１】
ＤＶＤレコーダー内のデスク面１にレーベル印刷をするためのインクカートリッジ２があり、そのインクカートリッジは左右にレール４によって移動できるようになっていると同時に、そのレール４は前後に移動することが出来る。インクカートリッジ２はレール上でデスク印刷区間を離れて、普通紙５を印刷できる位置に移動し、ローラー３によって普通紙を繰り出しながら普通紙上に印刷が出来るように構成されたＤＶＤプリンター２。
【手続補正書】
【提出日】平成19年1月15日(2007.1.15)
【手続補正１】
【補正対象書類名】実用新案登録請求の範囲
【補正対象項目名】全文
【補正方法】変更
【補正の内容】
【実用新案登録請求の範囲】
【請求項１】
（１）ＤＶＤレコーダー内のデスク面１にレーベル印刷をするためのインクカートリッジ２があり、そのインクカートリッジは左右にレール４によって移動できるようになっていると同時に、そのレール４は前後に移動することが出来る。
（２）インクカートリッジ２はレール上でデスク印刷区間を離れて、普通紙５を印刷できる位置に移動し、ローラー３によって普通紙を繰り出しながら普通紙上に印刷が出来るように構成されている。
（１）、（２）以上からなるＤＶＤプリンター２。
【手続補正書】
【提出日】平成19年3月19日(2007.3.19)
【手続補正１】
【補正対象書類名】実用新案登録請求の範囲
【補正対象項目名】全文
【補正方法】変更
【補正の内容】
【実用新案登録請求の範囲】
【請求項１】
（１）ＤＶＤレコーダー内のデスク面１にレーベル印刷をするためのインクカートリッジ２があり、そのインクカートリッジは左右にレール４によって移動できるようになっていると同時に、そのレール４は前後に移動することが出来る。
（２）インクカートリッジ２はレール上でデスク印刷区間を離れて、普通紙５を印刷できる位置に移動し、ローラー３によって普通紙を繰り出しながら普通紙上に印刷が出来るように構成されている。
（１）、（２）以上からなるＤＶＤプリンター２。
(57)【要約】      （修正有）【課題】一輪車を使って植木，石、砂等の重量物を運搬する時、一人で楽に一輪車に荷物を積み込め、移動も容易にできる掬い込み型一輪車を提供する。【解決手段】荷物運搬用の掬い込み型一輪車は、車軸を有する基台１２、基台に支点を有し、左右に開閉する断面Ｌ字型の２つのホッパー２，３及び左右のホッパーと一体になり、ホッパーを左右に開くことができる２本の操作用ハンドル４，５からなる。また、ホッパーの先端が、一輪車を立てて荷物を掬い込めるように垂直面となっている。【選択図】図１
0003133324.tif 000002
【実用新案登録請求の範囲】
【請求項１】
車輪を有する基台、該基台に支点を有し、左右に開閉する断面Ｌ字型の２つのホッパー及び該左右のホッパーと各一体になり、ホッパーを左右に開くことができる２本の操作用ハンドルからなることを特徴とする荷物運搬用の掬い込み型一輪車。
【請求項２】
前記各ホッパーの先端が、前記一輪車を立てて荷物を掬い込めるように垂直面となっていることを特徴とする前記請求項１記載の荷物運搬用の掬い込み型一輪車。
【考案の詳細な説明】
【技術分野】
【０００１】
この考案は、ガーデニング、農作業、土木作業等で、一輪車を使って植木，石、砂等の重量物を運搬するための掬い込み型一輪車に関する。
【背景技術】
【０００２】
従来、石とか岩、あるいは植木等の重量物を手作業で運搬するのは難作業であった。特に、一輪車を使って重量物を運搬するのは、荷物を荷台に載せる作業が困難であり、また載せた後もバランスを取ったまま一輪車を移動させるのが大変であった。
【０００３】
例えば、実開昭５８−５８９７０号公報には、運搬物を２本の主桿の間に挟み込み、主桿を閉じた状態で運搬するものが提案されている。また、特開平２００４―１２３０７１号公報には、運搬用のハンドルの上にスライド車体を設け、該スライド車体で運搬物を前後から挟み、持ち上げ移動するものが提案されている。
【０００４】
しかし、実開昭５８−５８９７０号公報のものは、運搬中に運搬物が落下する危険性が高く、これを防ぎながら運搬するのはやはり大変である。また、特開平２００４―１２３０７１号公報のものも、前後の挟み込みから運搬物が落下し易く、これを防ぎながら運搬するのは容易ではない。
【０００５】
また、これら従来例は、いずれも重量物の場合に荷台に載せる作業が重労働となり、困難である。
【特許文献１】実開昭５８−５８９７０号公報
【特許文献２】特開平２００４−１２３０７１号公報
【考案の開示】
【考案が解決しようとする課題】
【０００６】
この考案は、上記従来の一輪車の欠点を無くし、ガーデニング、農作業、土木作業等で、一輪車を使って植木，石、砂等の重量物を運搬する時、一人で楽に一輪車に荷物を積み込め、移動も容易にできる掬い込み型一輪車を提供することを目的とする。
【課題を解決するための手段】
【０００７】
この考案の荷物運搬用の掬い込み型一輪車は、車輪を有する基台、該基台に支点を有し、左右に開閉する断面Ｌ字型の２つのホッパー及び該左右のホッパーと各一体になり、ホッパーを左右に開くことができる２本の操作用ハンドルからなることを特徴とする。
【０００８】
またさらに、前記ホッパーの先端が、前記一輪車を立てて荷物を掬い込めるように垂直面となっていることを特徴とする。
【考案の効果】
【０００９】
この考案の荷物運搬用の掬い込み型一輪車を用いれば、植木，石、砂等の重量物を運搬する時、該一輪車を立てて左右のホッパーを開いて挟み込むことにより、重量物を一人で楽に一輪車に積み込めて運搬できると共に、荷台に載せた荷物は簡単には落ちることなく容易に運搬できるので、作業性が向上する。
【考案を実施するための最良の形態】
【００１０】
以下、この考案の荷物運搬用の掬い込み型一輪車について図を用いて説明する。
図１は、この考案の荷物運搬用の掬い込み型一輪車１の外観図である。また、図２は、上記この考案の荷物運搬用の掬い込み型一輪車を用いて石や岩等を荷台に載せる動作を示す。図３は、同じくこの考案の荷物運搬用の掬い込み型一輪車を用いて石や岩等を荷台に載せる動作を正面から見た図である。
【００１１】
図１に示されるように、この考案の荷物運搬用の掬い込み型一輪車１は、左右のホッパー２，３、基台１２，左右のハンドル４，５、車輪９からなる一輪車である。荷物を運搬するときは、基台１２もしくはホッパー２，３の上に荷物を載せて、ホッパー２，３を閉じた状態でハンドル４，５を引っ張って、もしくは前方に押して運搬する。この運搬動作自体は、通常の土木作業用一輪車と同様である。
【００１２】
前記ホッパー２，３は、図１に示すように、水平面１３，１４からの垂直な立ち上がり面１０，１１を有する。また、各ホッパー底面は、ハンドル４，５から伸びる支持桿の先端部６，７で上記支持桿と回動可能に遊嵌されており、該遊嵌部は図２の２１に示すごとく、ホッパー底面と上記支持桿先端がリベット又はボルトを支軸として連結されている。
【００１３】
車輪９は、図２に示されるように、基台の底及び該基台から延在する車輪支持板１９（図１）に支持された車輪軸支持用の棒２３，２４により、その軸受けが支持されている。各ホッパーは、前記支持桿が交叉するハンドル回動軸支持点８の前方１７に支点を有していて、前記ハンドル４，５を開閉すると、前記支持桿の先端部６，７が左右に開閉し、これに応じてホッパー２，３が上記支点１７を中心に開閉する。なお、この時、前記の如く、支持桿の先端部６，７とホッパー底面は回動可能に遊嵌されているので、ハンドル４，５を開くと、ホッパーは、支点８と支点１７の関係で軸６，７を中心にして多少回動しながら大きく開くことになる。
【００１４】
上記本考案の荷物運搬用一輪車の積み込み動作は、以下のとおりである。
図２に示すごとく、運搬対象の岩や石等２５に対して、上記一輪車を立てて垂直な立ち上がり面１０，１１を地面に沿わせながら、該岩等に近づける。その後、図３に示すように、ホッパー２，３をハンドル４，５で開いて当該岩を左右から挟み込む。挟んだ後、ハンドル４，５を手前に引き起こすと、岩等は車輪を支持点とする梃子の原理によりホッパー２，３の平坦部１３，１４あるいは基台１２上に載せることができる。なお、この時、図示されないが、左右のハンドルはロックして動かないようにすることが望ましい。
【００１５】
荷台に載せられた岩等は、通常の一輪車と同様にして運搬され、移動先で上記と逆の動作により降ろせばよい。
【産業上の利用可能性】
【００１６】
本考案の荷物運搬用一輪車は、岩等の重量物を左右のホッパーで挟んで掬い挙げるので、荷台に載せる作業が楽になり、産業上の利用性が高い。
【図面の簡単な説明】
【００１７】
【図１】この考案の荷物運搬用一輪車の全体斜視図を示す図である。
【図２】この考案の荷物運搬用一輪車により荷物を載せるときの横から見たイメージ図である。
【図３】この考案の荷物運搬用一輪車により荷物を載せるときの正面から見たイメージ図である。
【符号の説明】
【００１８】
１    一輪車
２    ホッパー
３    ホッパー
４    ハンドル
５    ハンドル
９    車輪
【図１】
0003133324.tif 000003
【図２】
0003133324.tif 000004
【図３】
0003133324.tif 000005
(57)【要約】      （修正有）【課題】「時間・速度・距離・消費カロリー・心拍数」が測定できるトレーニング用のコンピューター装置を従来の自転車に取り付け、通常の自転車を「フィットネス自転車」にする。【解決手段】自転車のハンドル部分に表示器イを装着し、心拍数測定器ハを身体に身につけ、走行測定器・消費カロリー測定器ロをペダルに装着する。自転車を漕ぐことによって発生する負荷を利用して、表示器へ走行データを送り、使用者の心拍を測定し、表示器へデータを送る。表示器を見ることにより、自分の走行距離、消費カロリー、心拍数を確認する事が可能となる。【選択図】図１
0003133539.tif 000002
【実用新案登録請求の範囲】
【請求項１】
トレーニング用のコンピューターを内臓したことを特徴とする「フィットネスシステム付き自転車」。
【考案の詳細な説明】
【技術分野】
【０００１】  本考案は、従来の自転車に「時間・速度・距離・消費カロリー・心拍数」が測定できるトレーニング用のコンピューターシステムをつけることに関するものである。
【背景技術】
【０００２】  自転車運動は、有酸素運動ができるトレーニングであり、ダイエットや体力向上等に適しているばかりではなく、持久力の向上や足腰を鍛えるにも効果的であるため、スポーツジムなどで人気のエクササイズである。
しかしながら、従来一般的に利用されているフィットネスバイクは、一定の場所に固定して利用しなければならないため、どうしても単調になりやすい。
また、狭い自宅では場所をとるため個人所有し難く、利用するにはスポーツジムやフィットネスクラブに出向かなければならない。
【考案の開示】
【考案が解決しようとする課題】
【０００３】  上述のとおり、従来一般的に利用されているフィットネスバイクでは次のような問題点があった。
ア）  一定の場所に固定して利用しなければならないため、どうしても単調になりやすい。
イ）  狭い部屋では場所をとるため個人所有し難く、利用するにはスポーツジムやフィットネスネスクラブに出向かなければならない。
【課題を解決するための手段】
【０００４】  本考案では、「時間・速度・距離・消費カロリー・心拍数」が測定できるトレーニング用のコンピューター装置を従来の自転車に取り付けることで、通常の自転車を「フィットネス自転車」にするものである。
【考案の効果】
【０００５】  本考案によれば、日常生活で使用する自転車がそのままフィットネスバイクとしての機能を果たす。
スポーツジムでは味わえない、四季の移ろいや周囲の景色を楽しみながらエクササイズができるようになる。
【考案を実施するための最良の形態】
【０００６】  本考案に係るフィットネスバイクは、図１に示すように、自転車のハンドル部分に（イ）表示器を装着し、（ハ）心拍数測定器を身体に身につけ、（ロ）走行測定器・消費カロリー測定器をペダルに装着する。自転車を漕ぐことによって発生する負荷を利用して、（ロ）より表示器へ走行データを送り、（ハ）によって使用者の心拍を測定し、表示器へデータを送る。表示器を見ることにより、自分の走行距離、消費カロリー、心拍数を確認する事が可能となる。
【図面の簡単な説明】
【０００７】
【図１】自動負荷調整プログラム付きフィットネス自転車の平面図である。
【図２】自動負荷調整プログラムの斜視面である。
【符号の説明】
【０００８】（イ）  表示器
（ロ）  走行測定器・消費カロリー測定器
（ハ）  心拍数測定器
（ニ）  ・心拍数スイッチ  ・走行距離スイッチ  ・消費カロリースイッチ
（ホ）  とめ金
（ヘ）  とめネジ
【図１】
0003133539.tif 000003
【図２】
0003133539.tif 000004
【手続補正書】
【提出日】平成19年2月4日(2007.2.4)
【手続補正１】
【補正対象書類名】実用新案登録請求の範囲
【補正対象項目名】全文
【補正方法】変更
【補正の内容】
【実用新案登録請求の範囲】
【請求項１】
ペダル負荷方式によるフィットネスバイク用の自動負荷調整プログラム装置を自動車に装置したことを特徴とする、自動負荷調整プログラム装置付きフィットネス自動車。
【手続補正書】
【提出日】平成19年4月6日(2007.4.6)
【手続補正１】
【補正対象書類名】実用新案登録請求の範囲
【補正対象項目名】全文
【補正方法】変更
【補正の内容】
【実用新案登録請求の範囲】
【請求項１】
ペダル負荷方式によるフィットネスバイク用の自動負荷調整プログラム装置を自転車に装置したことを特徴とする、自動負荷調整プログラム装置付きフィットネス自転車。
(57)【要約】      （修正有）【課題】本考案は収納架へ搭載する電子機器・収納棚を支える支持レール位置合わせを行う際、作業性に伴う時間と手間がかかりまた、重量電子機器・重量収納棚を搭載するにあったては、作業人数を多く必要とし重労働に伴う作業効率の低下がおこるという問題がある。【解決手段】本考案は支持レール位置決め治具を位置決めパネルと位置決めポールとの寸法Ａを電子機器・収納棚のパネル面と底面寸法と同寸法になるように位置決めポール調整穴へ位置決めポール調整ネジにて固定し位置決めパネル取付穴を収納架取付穴と合わせ支持レール８を２位置決めポールに合わせ位置決めを行い支持レール取付穴９と収納架支持レール取付穴１０位置を合わせ支持レール取付ネジ１１にて固定できることにより作業効率の向上に役立つ。【選択図】図１
0003133538.tif 000002
【実用新案登録請求の範囲】
【考案の詳細な説明】
【技術分野】
【０００１】本考案は収納架へ電子機器、収納棚を搭載する場合、電子機器、収納棚を支える支持レール位置決め治具に関するものである。
【背景技術】
【０００２】電子機器・収納棚を収納架へ搭載する場合、機器を支える支持レールを収納架へ仮止めし電子機器・収納棚を搭載し支持レールと電子機器・収納棚底面位置に支持レールを合わせるよう調整後、一旦電子機器・収納棚を取外し支持レールの本締めを行う位置調整を行っていた。
【考案の開示】
【考案が解決しようとする課題】
【０００３】収納架へ搭載する電子機器・収納棚を支える支持レール位置合わせを行う際に作業性に伴う作業時間と手間がかるという問題があった。
また、重量電子機器・重量収納棚を搭載する際は、支持レール位置決め調整に作業人数を多く必要とし重労働に伴う作業効率の低下がおこるという問題もある。
【課題を解決するための手段】
【０００４】本考案は、支持レール位置決め治具搭載の位置決めポールを電子機器・収納棚本体底面位置寸法に合わせて調整可能な構造に加え、支持レールを収納架へネジ止めする際の取付け向きが上下共に位置合わせ可能な構造を備えることにより作業時間の短縮及び、重労働による作業効率の低下という問題を解決している。
【考案の効果】
【０００５】上述の様に、本考案の支持レール位置決め治具により電子機器・収納棚の搭載作業における作業時間の短縮・作業効率の向上は勿論、収納架へ搭載する電子機器・収納棚が支持レール取付時に電子機器・収納棚が無い場合でも、支持レール位置決め治具を使用することにより支持レール取付が可能となり収納架へ電子機器・収納棚を搭載する際、作業の効率化に役立つ。
【考案を実施するための最良の形態】
【０００６】支持レール位置決め治具へ搭載されている位置決めポール左右を電子機器・収納棚本体底面位置寸法に合わせ支持レールの位置決めを行う。
【実施例】
【０００７】以下、添付図面に従って一実施例を説明する。
第１の支持レール位置決め治具の使用方法としては、図１、図３に示す１位置決めパネルと２位置決めポールとの寸法Ａを３電子機器・収納棚のパネル面と底面寸法と同寸法になるように４位置決めポール調整穴にて５位置決めポール調整ネジにて固定する。６位置決めパネル取付穴を７収納架取付穴と合わせ８支持レールを２位置決めポールに合わせ位置決めを行い９支持レール取付穴と１０収納架支持レール取付穴位置を合わせ１１支持レール取付ネジにて固定する。【０００８】第２の支持レール位置決め治具の使用方法としては、図２に示す８支持レール取付け向きが上下どちらの場合であっても２位置決めポールがパイプ構造の為９支持レール取付穴へ１１支持レール取付けネジにて固定する。
【産業上の利用可能性】
【０００９】本考案の一実施例は上述の如き構成からなるものであるから、収納架へ支持レールを使用して搭載する電子機器・収納棚に対して支持レール位置決め治具を使用することにより支持レールの取付け向き電子機器・収納棚の重さを問わず使用可能となり支持レール位置決め作業が容易になる。
【図面の簡単な説明】
【００１０】
【図１】本考案の支持レール位置決め治具の第１の実施例を示す拡大図である。
【図２】本考案の支持レール位置決め治具の第２の実施例を示す拡大図である。
【図３】位置決めポールを電子機器、収納棚の底面位置寸法と会わせる正面、側面図、等角図である。
【符号の説明】
【００１１】  １  位置決めパネル
２  位置決めポール
３  電子機器・収納棚
４  位置決めポール調整穴
５  位置決めポール調整ネジ
６  位置決めパネル取付穴
７  収納架取付穴
８  支持レール
９  支持レール取付穴
１０  収納架支持レール取付穴
１１  支持レール取付ネジ
１２  収納架
【図１】
0003133538.tif 000003
【図２】
0003133538.tif 000004
【図３】
0003133538.tif 000005
【手続補正書】
【提出日】平成19年1月17日(2007.1.17)
【手続補正１】
【補正対象書類名】実用新案登録請求の範囲
【補正対象項目名】全文
【補正方法】変更
【補正の内容】
【実用新案登録請求の範囲】
【請求項１】
電子機器・収納棚を積載する収納架において、電子機器・収納棚を支える支持レールを位置決めする治具であって、支持レール位置決め治具搭載の位置決めポール左右を電子機器・収納棚本体底面位置寸法に調整可能な構造を備える支持レール位置決め治具。
【請求項２】
前記支持レールを収納架へ位置決めする際、支持レール取付け向きが上下共に位置決め可能な位置決めポール左右構造を備える支持レール位置決め治具。
【手続補正書】
【提出日】平成19年4月4日(2007.4.4)
【手続補正１】
【補正対象書類名】実用新案登録請求の範囲
【補正対象項目名】全文
【補正方法】変更
【補正の内容】
【実用新案登録請求の範囲】
【請求項１】
電子機器・収納棚を積載する収納架において、電子機器・収納棚を支える支持レールを位置決めする治具であって、位置決めパネルと位置決めポールとの寸法を電子機器・収納棚のパネル面と底面寸法が同寸法になるように位置決めポールを位置決めパネルに設けられている位置決めポール調整穴へ位置決めポール調整ネジにて固定し、位置決めパネル取付穴を収納架取付穴と合わせ支持レールを位置決めポールに合わせ位置決めを行い支持レール取付穴と収納架支持レール取付穴位置を合わせ支持レール取付ネジにて固定できる構造を備える支持レール位置決め治具。
【請求項２】
支持レールを収納架へ位置決めする際、支持レール取付け向きが上下共に位置決め可能なことを特徴とする請求項１に記載の支持レール位置決め治具。
(57)【要約】      （修正有）【課題】衣服やリュック等に鈴や鐘が触れていると警報の為の音が小さくなり警報機としての用を為さない、これらの欠点を補うために鐘の外側にカバーを付け一定の大きさの警報音が出せるようにする。  【解決手段】本体５は穴のあいた円錐状になっており、上部の中心部にはネジ穴があいている。そのネジ穴部にはフックのついたネジ棒があり、フック棒６には振り子７が釣れるように穴があいている。更に本体外側には若干の隙間があり、側面には数ヵ所の穴があり、下部の底が無く上部には本体と外側を固定する穴が中心部にあり、ネジ棒を通して袋ナット３でとめる。そのナットの横からは三角形状になったスプリング２を通し、更にクサリ１とリングが組み込まれている。  【選択図】図２
0003133537.tif 000002
【実用新案登録請求の範囲】
【請求項１】
本体は穴のあいた円錐状になっており上部の中心部にはネジ穴があいているそのネジ穴部にはフックのついたネジ棒がありフック棒には振り子が釣れるように穴があいている
更に本体外側には若干の隙間があり側面には数ヵ所の穴があり下部の底が無く上部には本体と外側を固定する穴が中心部にありネジ棒を通して袋ナットでとめる  そのナットの横からは三角形状になったスプリングを通し更にクサリとリングが組み込まれている  即ちこれを「カバー付き熊避け鐘」と云う
【考案の詳細な説明】
【技術の分野】
【０００１】  ハイキングや登山等のときに熊などの動物に人間がいる事を知らせる警報用具である
【背景技術】
【０００２】  現在、ハイカー達向けに使用されているのは鈴・笛・鐘などが市販されているが衣服やリュックに接していると警報音が小さくなり笛は危険動物を発見してから吹鳴するので危険を回避するタイミングが遅く危険であるこの欠点をカバーするための一助としてスズの外側にカバーを付け一定の警報音を常時出すことが出来る
【考案の開示】
【考案が解決しようとする課題】
【０００３】  現在、衣服やリュック等に鈴や鐘が触れていると警報の為の音が小さくなり警報機としての用を為さないものがある  これらの欠点を補うために鐘の外側にカバーを付け一定の大きさの警報音が出せるように考案したものである
【課題を解決するための手段】
【０００４】  鐘の音量が多用な使用条件の基でもカバーを付けることでこの課題を解決することができる
【考案の効果】
【０００５】  この効果は鐘の外側にカバーをつけて保護されているため登山家やハイカー達には重宝されている又カバーは夜光性を持たせてあり暗い夜道や荷物の置き場所等発見に役立つ効果を併せもっている
【考案を実施するための最良形態】
【考案の形態】
【０００６】  円錐形なので衣服やリュック等どこにでも提げて歩けると共に夜光性を持っているため夜間の集団歩行時道しるべとなり形態がスマートである
【実施例】
【０００７】  使用例に付いては体又はリュックの上部に付けると最高の音量を確保出来る
【図面の簡単な説明】
【０００８】
【図１】  部品分解図である。
【図２】  組み込まれた図面である
【符号の説明】
【０００９】  １．  吊るし金具
２．  三角形スプリング
３．  フクロナット
４．  カバー
５．  鐘外枠
６．  フック棒
７．  振り子棒
【図１】
0003133537.tif 000003
【図２】
0003133537.tif 000004
【手続補正書】
【提出日】平成18年11月30日(2006.11.30)
【手続補正１】
【補正対象書類名】実用新案登録請求の範囲
【補正対象項目名】全文
【補正方法】変更
【補正の内容】
【実用新案登録請求の範囲】
【請求項１】
本体は穴のあいた円錐状になっており上部の中心部にはネジ穴があいているそのネジ穴部にはフックのついたネジ棒がありフック棒には振り子が釣れるように穴があいている
更に本体外側には若干の隙間があり側面には数カ所の穴があり下部の底が無く上部には本体と外側を固定する穴が中心部にありネジ棒を通して袋ナットでとめる  そのナットの横からは三角形状になったスプリングを通し更にクサリとリングが組み込まれている  「カバー付き熊避け鐘」
【手続補正書】
【提出日】平成19年3月1日(2007.3.1)
【手続補正１】
【補正対象書類名】実用新案登録請求の範囲
【補正対象項目名】全文
【補正方法】変更
【補正の内容】
【実用新案登録請求の範囲】
【請求項１】
（１）本体は釣鐘状になっており、その上部の中心はネジ穴になっていて、そのネジ穴の中にはフックの付いたネジ棒が突き出るようになっている
（２）更にフックの下部は、上部がリング状になった振り子になっていて、フックにリングが引っ掛かるようになっている
（３）更に本体の外側にはカバーが付いている
（４）そのカバーの側面には数箇所穴があいていて、上部中心にも穴がある
（５）このカバー上部中心及び本体上部に設けられた穴にフックの付いたネジ棒を通し、カバーと本体を同時にフクロナットで締め付け、更にカバー側のナットの横から穴をあけ、三角形状のスプリングを通し、スプリングの中に鎖の付いたリングがつけてある
以上からなる仕組みで構成されている、カバー付熊よけ鐘
(57)【要約】      （修正有）【課題】バナナを冷蔵庫に入れても、黒く変色せず果実も腐敗しない様な状態に冷気を遮断する。【解決手段】内側を高発砲シートミラマット、外側を耐久性のあるメッシュの布で作った二重構造の袋にバナナを入れ、開口部をふさぎ冷蔵庫の冷気で皮が黒く変色するのを防ぎ、１週間から１０日間新鮮で冷たく美味しいバナナを食せる。【選択図】図１
0003133540.tif 000002
【実用新案登録請求の範囲】
【請求項１】
バナナを冷蔵庫に貯蔵すると皮が黒く変色して果実もやわらかくなってしまうが、本考案品の袋に入れる事により、変色しないで冷たく美味しいバナナを食する事の出来る事を特徴とする、バナナ変色防止冷蔵庫収納袋。
【考案の詳細な説明】
【技術分野】
【０００１】  本考案は、冷蔵庫の冷気による黒く変色するのを防ぐ袋に関するものである。
【背景技術】
【０００２】  バナナを常温で保管すると腐敗が進み、冷蔵庫に入れた場合は冷気により皮が黒くなり果肉も変色して味も悪くなる。
【考案の開示】
【考案が解決しようとする課題】
【０００３】  バナナを購入した場合、全部食べきれない時、常温で保管すると腐敗しやすい。
冷蔵庫に保管したいのだが、黒く変色してしまう。変色しないで、冷たく美味しいバナナを食する事が可能になり、前述の欠点を解決しようとするものである。
【課題を解決するための手段】
【０００４】  本考案はバナナを黒く変色しないで、冷蔵庫に収納するには冷蔵庫内の冷気をバナナが変色せず、鮮度を保つ温度に遮断しなければならない。そのために高発砲シート、ミラマットで作った袋に収納することにより、黒く変色せず、腐敗もしない温度を保つ事ができる。
【考案の効果】
【０００５】  上述の様に、本考案のバナナ変色防止袋はバナナを冷蔵庫に保管しても、変色せず、美味しく、食する事が出来る袋である。又ミラマットの性質により、バナナを保護し傷防止にもなる。
【考案を実施するための最良の形態】
【０００６】  本考案はミラマットの袋だけでは、耐久性に欠けるので外側をメッシュの布を使用して二重構造にし、冷気を遮断する為、開口部を、紐・ファスナー・マジックテープなどで締める。勿論バナナを野菜果物類なので、本考案の袋に入れたバナナは冷蔵庫の野菜室に入れて、貯蔵するのが最良である。
【実施例】
【０００７】  以下、添付図面に従って一実施例を説明する。
開口部を紐でふさいだ場合の、バナナ保存袋について説明する。１は内側でミラマットの袋、２は外側でナイロン等適宜素材のメッシュ布の袋、１と２を縫い合わせて二重構造にしてある。３は開口部で、紐を通す為の木綿等適宜素材の布、４は冷気を遮断する為、開口部を締める紐、５は開口部を固定させる為の紐ストッパー。【０００８】  本考案の一実施例は上記の如き構成からなるものである。バナナを変色せずに冷蔵庫に保管するだけではなく、ミラマットの性質によりバナナを保護し傷防止にもなる。
【図面の簡単な説明】
【０００９】
【図１】本考案のバナナ変色防止冷蔵庫保管袋の一実施例を示す正面図である。
【図２】本変色防止袋の一部切欠断面図である。
【符号の説明】
【００１０】１  ミラマットの袋
２  メッシュの袋
３  開口部で紐を通す部分
４  開口部を締める紐
５  紐ストッパー
【図１】
0003133540.tif 000003
【図２】
0003133540.tif 000004
【手続補正書】
【提出日】平成19年3月28日(2007.3.28)
【手続補正１】
【補正対象書類名】実用新案登録請求の範囲
【補正対象項目名】全文
【補正方法】変更
【補正の内容】
【実用新案登録請求の範囲】
【請求項１】
内側を高発泡シートであるミラマット（登録商標）、外側を耐久性のあるメッシュの布で二重構造に作り、開口部は冷気を遮断する為、紐・ファスナー、又はマジックテープ（登録商標）などで塞いでなる、バナナ変色防止冷蔵庫収納袋。
【手続補正２】
【補正対象書類名】明細書
【補正対象項目名】０００４
【補正方法】変更
【補正の内容】
【０００４】  本考案はバナナを黒く変色しないで冷蔵庫に収納するには、冷蔵庫内の冷気をバナナが変色せず、鮮度を保つ温度に遮断しなければならない。そのために高発泡シートであるミラマット（登録商標）で作った袋に収納することにより、黒く変色せず、腐敗もしない温度を保つ事ができる。
【手続補正３】
【補正対象書類名】明細書
【補正対象項目名】０００６
【補正方法】変更
【補正の内容】
【０００６】  本考案はミラマット（登録商標）の袋だけでは耐久性に欠けるので、外側をメッシュの布を使用して二重構造にし、冷気を遮断する為、開口部を紐・ファスナー・マジックテープ（登録商標）などで塞ぐ。勿論バナナは野菜果物類なので、本考案の袋に入れたバナナは冷蔵庫の野菜室入れて貯蔵するのが最良である。
(57)【要約】      （修正有）【課題】湿度で弛む紙状の掲示物を常に張った状態に保ち、早く乾かせ、きれいで簡単にはがせる。【解決手段】掲示物２をＡではさみ、Ｂを調整しながら引いて置く。これにより湿度に左右されず、掲示物を常に張った状態に保て、見やすく、使用方法が簡単かつ半永久的であり安価である。【選択図】図３
0003133536.tif 000002
【実用新案登録請求の範囲】
【請求項１】
湿度で弛む紙状の掲示物を常に張った状態に保ち、掲示物側のはさむ部分を浮かすことにより、風通しを良くし早く乾かせる器具。
【考案の詳細な説明】
【技術分野】
【０００１】本考案は湿度で弛む掲示物を常に張った状態に保つ器具。
【背景技術】
【０００２】  従来、掲示物を壁に貼る場合、のりや粘着テープ類で貼る、磁石を置いて留める、伸縮する粘着タグなどであった。のりや粘着テープははがす時、破れたり跡が残り見苦しい。ただ磁石を置いて留める方法は湿度が高い時のたるみには対応できない。粘着タダは何度か使用すると効力が低下した。
【考案の開示】
【考案が解決しようとする課題】
【０００３】湿度に左右されず、常に見やすく掲示でき、また半永久的に使用できる。
【課題を解決するための手段】
【０００４】［図３］の様に掲示物▲２▼を▲Ａ▼ではさみ、▲Ｂ▼を調整しながら引いて置く。以上のくりかえしで解決する。
【考案の効果】
【０００５】掲示物を常に張った状態に保ち、すっきり見せる。
【考案を実施するための最良の形態】
【０００６】本考案器具を使用することにより、ポスターなどの掲示物をすっきり明確に見せ、使用方法が簡単である。
【図面の簡単な説明】
【０００７】
【図１】  本考案器具の伸縮安定シャフトを伸ばし、拡大したイメージ図である。
【図２】  本考案器具の使用方法を印した側面図である。
【図３】  本考案器具を▲Ａ▼と▲Ｂ▼に分けた断面図である。
【図４】  掲示物を掲示した場合を縮小したものである。
【符号の説明】
【０００８】
0003133536.tif 000003
▲１▼  掲示物をはさむすべり止め。
▲２▼  掲示物。
▲３▼  ばね。
▲４▼  輪ゴムまたはコイルスプリングを掛けるフック。
▲５▼  輪ゴムまたはコイルスプリング。
▲６▼  伸縮調整を安定させるシャフト及びストッパー。
▲７▼  磁石。
▲８▼  壁に取付けたうすい鉄板。
▲９▼  掲示物と鉄板とのすき間。
▲１０▼  壁。
【図１】
0003133536.tif 000004
【図２】
0003133536.tif 000005
【図３】
0003133536.tif 000006
【図４】
0003133536.tif 000007
【手続補正書】
【提出日】平成18年12月13日(2006.12.13)
【手続補正１】
【補正対象書類名】実用新案登録請求の範囲
【補正対象項目名】全文
【補正方法】変更
【補正の内容】
【実用新案登録請求の範囲】
【請求項１】
〔図３〕で示す通り、湿度で弛む掲示物▲２▼を予め壁▲１０▼に取付ておいたうすい鉄板▲８▼に掲示する位置を決め、▲Ａ▼で掲示物▲２▼の上の角をはさみ、磁石部分▲Ｂ▼を置く。同様の方法で対角線上の下の角部分を▲Ａ▼ではさみ、こんどは▲５▼の輪ゴム又はコイルスプリングの伸縮する特性を利用し、調整しながら引いて▲Ｂ▼を置く。以上をくりかえす。
この様にすることで掲示物▲２▼はうすい鉄板▲８▼との間にすき間▲９▼が自然と生じ、風通しが良く、掲示物▲２▼は常に張った状態を保持し、よって、早く乾く。
【手続補正書】
【提出日】平成19年4月9日(2007.4.9)
【手続補正１】
【補正対象書類名】実用新案登録請求の範囲
【補正対象項目名】全文
【補正方法】変更
【補正の内容】
【実用新案登録請求の範囲】
【請求項１】
予め壁に取付ておいたうすい鉄板に、掲示物をはさむ本体と当該本体に対し、伸縮シャフトを介して伸縮可能な磁石付本体と当該本体と、上記縮め方向に引っぱる輪ゴム、又はコイルスプリングとを含み、当該磁石を吸着させた鉄板上において、当該輪ゴム、又はコイルスプリングの引っぱりによって、当該本体がはさんだ掲示物の張り状態を常に保つための保持器具。